(57)【要約】【課題】タッチパネルを利用したプレゼンテーションを円滑に行える情報表示装置を提供する。【解決手段】タッチパネル２に表示された画像を編集可能な編集モードと、表示された画像への編集を禁止して画像を維持する固定モードとを有した情報表示装置１である。情報表示装置１は、タッチパネルの所定位置に接触したか否かを判定する判定部２２と、このタッチパネルの所定位置に接触したと判定される度に、編集モードと固定モードとを切り替えるモード設定部２３とを備える。【選択図】図２
2014134913.tif 000002
【特許請求の範囲】
【請求項１】
タッチパネルに表示された画像を編集可能な編集モードと、該表示された画像への編集を禁止して該画像を維持する固定モードとを有した情報表示装置であって、
前記タッチパネルの所定位置に接触したか否かを判定する判定部と、前記所定位置に接触したと判定される度に、前記編集モードと前記固定モードとを切り替えるモード設定部とを備えることを特徴とする情報表示装置。
【請求項２】
請求項１に記載の情報表示装置であって、
前記タッチパネルの周縁を押えるキャビネットを有し、前記タッチパネルの前記所定位置は、前記キャビネットの輪郭線に沿って帯状に形成されていることを特徴とする情報表示装置。
【請求項３】
請求項１又は２に記載の情報表示装置であって、
前記タッチパネルの前記所定位置は、前記編集モードと前記固定モードとで異なる態様で表示されることを特徴とする情報表示装置。
【発明の詳細な説明】
【技術分野】
【０００１】
本発明は、情報表示装置に関し、詳細には、タッチパネルへの接触等に基づいて表示内容を編集可能な情報表示装置に関する。
【背景技術】
【０００２】
この種の情報表示装置は、プレゼンテーション、会議、授業や講義などに広く利用されており、タッチセンサをディスプレイ上に設けた大型のタッチパネルを有している。外部機器等からの画像をディスプレイに表示し、ユーザの指又はタッチペン等でタッチパネルに触れると、その触れた位置に手書きの文字や記号等の図形を書き込むことができる。
文字等を書き込み可能な操作モード（上書モードとも言う）に設定されている場合、この上書モードを実行するアプリケーションに実行権がある。そのため、表示内容の一部分を指すためにタッチパネルに触れたとしても、その触れた箇所に線などが書き込まれる。
【０００３】
ここで、ユーザが現在の操作モードとは別の操作モードを利用したい場合、現在の操作モードを解除するための操作と、別の操作モードを実行するアプリケーションに実行権を移すための操作とが別個に必要になり、不便である。そこで、例えば、特許文献１には、現在の操作モードを解除するための操作を省略し、現在の操作モードを実行するアプリケーションから別のアプリケーションに自動的に実行権を移せる技術が開示されている。
【先行技術文献】
【特許文献】
【０００４】
【特許文献１】特開２００４−７８３６７号公報
【発明の概要】
【発明が解決しようとする課題】
【０００５】
しかしながら、特許文献１によれば、別のアプリケーションに実行権を移すための操作だけで現在の操作モードを解除できたとしても、その別の操作モードが利用可能になるのみであり、表示内容をロックできない。このため、プレゼンテーション中において、表示内容の一部分を指すためにタッチパネルに触れただけであるにも拘わらず、その触れた箇所に規定されたアプリケーションに実行権が移り、仮に、表示内容を編集可能なモードであった場合には、その触れた箇所に線などが書き込まれる、若しくは、入力済みの内容が別の位置に移動する、又は、現在の表示内容から次ページの表示内容に移るなど、ユーザの意図しない操作が実行され、プレゼンテーションの妨げになるという問題がある。
【０００６】
本発明は、上述の如き実情に鑑みてなされたもので、タッチパネルを利用したプレゼンテーションを円滑に行える情報表示装置を提供することを目的とする。
【課題を解決するための手段】
【０００７】
上記課題を解決するために、本発明の第１の技術手段は、タッチパネルに表示された画像を編集可能な編集モードと、該表示された画像への編集を禁止して該画像を維持する固定モードとを有した情報表示装置であって、前記タッチパネルの所定位置に接触したか否かを判定する判定部と、前記所定位置に接触したと判定される度に、前記編集モードと前記固定モードとを切り替えるモード設定部とを備えることを特徴とする情報表示装置である。
【０００８】
第２の技術手段は、第１の技術手段において、前記タッチパネルの周縁を押えるキャビネットを有し、前記タッチパネルの前記所定位置は、前記キャビネットの輪郭線に沿って帯状に形成されていることを特徴とするものである。
【０００９】
第３の技術手段は、第１又は２の技術手段において、前記タッチパネルの前記所定位置は、前記編集モードと前記固定モードとで異なる態様で表示されることを特徴とするものである。
【発明の効果】
【００１０】
本発明によれば、タッチパネルの所定位置に触れた場合、編集モードから固定モードに容易に切り替えられ、表示内容の編集を禁止してそのまま維持する。このため、表示内容の一部分を指すためにタッチパネルに接触しても、その接触が表示内容に反映されず、また、現在の表示内容から次ページの表示内容に移らずに済み、タッチパネルを利用したプレゼンテーションが円滑に行われる。この結果、ユーザにとって使いやすい情報表示装置を提供することができる。
【図面の簡単な説明】
【００１１】
【図１】本発明による情報表示装置の正面図である。
【図２】本発明による情報表示装置の構成を表すブロック図である。
【図３】本発明によるモード切り替え時の動作を説明するフローチャートである。
【図４】本発明によるモード切り替えを説明する図である。
【図５】本発明によるモード切り替えを説明する図である。
【図６】本発明によるモード切り替えを説明する図である。
【発明を実施するための形態】
【００１２】
以下、図面を参照しながら本発明の情報表示装置について説明する。図１は、本発明による情報表示装置の正面図である。情報表示装置１は、電子会議システムに利用されるタッチパネル２を有する。タッチパネル２は、後述するタッチセンサ及び例えば、液晶のディスプレイを有し、液晶層やガラス基板などを有した矩形のＬＣＤ（Liquid Crystal Display）パネルや保護ガラス、さらに、例えば、ＬＥＤを平面的に並べた直下型のバックライト等を備えている。なお、ディスプレイは、ＴＦＴ液晶や電子ペーパーであってもよく、バックライトをエッジライト型で構成してもよい。
【００１３】
タッチパネル２の正面の周縁や外周面は、枠形の前キャビネット１１で押さえられ、タッチパネル２の背面は、箱形の後キャビネット（図示省略）で覆われている。なお、前キャビネット１１が本発明のキャビネットに相当する。タッチパネル２は、例えば、フロアスタンド４を介して部屋の床などの上に設置可能に構成されている。
【００１４】
図２は、本発明による情報表示装置の構成を表すブロック図である。情報表示装置１は、タッチパネル２及び情報処理装置３からなる。タッチパネル２は、例えば、透明抵抗膜式のタッチセンサ１０と、上述した液晶のディスプレイ１２とで構成され、ディスプレイ１２の上にタッチセンサ１０を設けて形成されている。タッチセンサ１０は、指又はタッチペン等の接触を検知するセンサである。検知方式は、赤外線カメラ方式、赤外線遮断検出方式、静電容量式、電磁誘導式などで構成してもよい。
【００１５】
情報処理装置３からの指示に基づき、例えば、資料の画像などがディスプレイ１２に表示される。ディスプレイ１２には、表示用の直交座標系が設定され、画素がこの座標系に沿ってマトリクス状に配列されている。画素の位置は情報処理装置３に出力され、例えば、記憶部２１に記憶される。
一方、タッチセンサ１０は透明電極を有し、透明電極には、入力用の直交座標系が設定されている。この直交座標系は表示用の直交座標系に対応している。
【００１６】
情報処理装置３は、記憶部２１の他、制御部２０、接触判定部２２、モード設定部２３、画像編集部２４、Ｉ／Ｆ２５等を有し、これらはバス２６を介して接続される。
制御部２０は、例えば、１あるいは複数個のＣＰＵ（Central Processing Unit）等からなり、記憶部２１の例えば、ＲＯＭに格納されている各種のプログラムやデータをＲＡＭにロードし、このロードしたＲＡＭ内のプログラムを実行する。これにより、ユーザからの指示内容等に基づいて情報表示装置１の全体の動作を制御する。
【００１７】
また、制御部２０は、情報表示装置１を操作するためのＧＵＩ（グラフィカルユーザインタフェース）をディスプレイ１２に表示させる。
接触判定部２２は、タッチパネル２へのタッチ位置や、例えば、シングルタップやフリック等のタッチパネル２へのタッチ動作を検出する。また、接触判定部２２は、タッチ位置や動作の検出結果に基づき、後述するタッチパネル２の所定位置に接触したか否かなどを判定可能である。検出結果や判定結果はモード設定部２３に出力される。なお、接触判定部２２が本発明の判定部に相当する。
【００１８】
モード設定部２３は、接触判定部２２から検出結果を受け取ると、上記表示用の直交座標系に変換し、画像編集部２４に出力する。手書き等の画像データは記憶部２１に記憶される。なお、タッチパネル２に表示された画像は、タッチパネル２への入力の他、例えば、キーボードから入力部２７への入力に基づいて編集することもでき、このデータも記憶部２１に記憶される。
【００１９】
また、モード設定部２３は、接触判定部２２から上述の所定位置に接触した旨の判定結果を受け取った場合、後述のように、現在の操作モード（例えば、編集モード）を別の操作モード（例えば、固定モード）に切り替え、切り替え後の操作モードに沿った処理、具体的には、編集モードに設定された場合に、接触位置への描画やタッチ動作に規定された処理を画像編集部２４に指示する。なお、モード設定部が、タッチパネル２の所定位置に接触したか否かなどを判定するとともに、操作モードを切り替えてもよい。
【００２０】
画像編集部２４は、モード設定部２３からの指令に応じて、資料や手書き等の画像データを記憶部２１から呼び出し、ＲＯＭに格納された所定のプログラムにしたがって、資料の画像と手書き等の画像とをディスプレイ１２に合成する。これにより、情報表示装置１のユーザは、合成後の画像をタッチパネル２で見ることができる。
なお、制御部２０は、Ｉ／Ｆ２５を介して複合機やパーソナルコンピュータ（ＰＣ）等の外部機器（図示省略）に接続可能である。その接続には、短距離無線通信、ネットワーク接続、シリアル接続等の手法を用いることができる。情報表示装置１がＰＣを搭載していてもよい。
【００２１】
図３は、本発明によるモード切り替え時の動作を説明するフローチャートであり、図４〜図６は、本発明によるモード切り替えを説明する図である。
タッチパネル２への入力に基づいて編集する場合、接触判定部２２は、ユーザがタッチパネル２の所定位置、例えば、タッチパネル２の輪郭付近に触れているか否かを判定する（図３のステップＳ１０１）。具体的には、図４（Ａ）に示すように、モード切り替えボタン１４が、前キャビネット１１の輪郭線に沿って帯状に形成されている。このため、タッチパネル２に対してユーザがどの位置にいても、モード切り替えボタン１４に触れることが可能になる。
【００２２】
ユーザがモード切り替えボタン１４に触れた場合（図３のステップＳ１０１のＹＥＳ）、モード設定部２３は、現在設定されている操作モードが編集モードであるか否かを判定する（ステップＳ１０２）。編集モードであった場合（ステップＳ１０２のＹＥＳ）、モード設定部２３は、固定モードに切り替え（ステップＳ１０３）、モード切り替えボタン１４に接触した時点におけるタッチパネル２の表示内容をロックする。
【００２３】
より詳しくは、固定モードが設定された場合、図４（Ｂ）に示すように、ユーザの指がモード切り替えボタン１４よりも内側の領域、例えば、タッチパネル２の中央位置から右斜め下方向に触れ続けると、接触判定部２２はこの接触状態を検出する。しかし、モード設定部２３は、このタッチパネル２への処理を画像編集部２４に指示しない。この結果、指で触れ続けても、タッチパネル２の表示内容は、固定モードに設定された時点の表示内容のまま、例えば、タッチパネル２への接触に伴う線の追加や削除の書き込み等が行われることなく維持される。
【００２４】
あるいは、図５（Ａ）に示すように、モード切り替えボタン１４に触れて固定モードが設定された場合、図５（Ｂ）に示すように、例えば、ユーザの指でタッチパネル２の中央位置をシングルタップし、この状態が接触判定部２２で検出されたとしても、モード設定部２３は、例えば、固定モードに設定された時点の表示内容から次ページの表示内容に移行させる処理を画像編集部２４に指示しない。よって、タッチパネル２をシングルタップしても、図５（Ｃ）に示すように、タッチパネル２の表示内容は、固定モードに設定された時点の表示内容のまま変わらない。
【００２５】
このように、モード切り替えボタン１４に触れた場合、編集モードは固定モードに切り替えられ、表示内容の編集が禁止され、このボタン１４に触れた時点の表示内容のまま変えずに表示する。したがって、表示内容の一部分を指すためにタッチパネル２に触れたとしても、このタッチパネル２への接触が表示内容に反映されず、また、現在の表示内容から次ページの表示内容に移らずに済む。よって、タッチパネル２を利用したプレゼンテーションを円滑に行うことができる。
【００２６】
さらに、モード切り替えボタン１４に触れて編集モードから固定モードに切り替えられた場合、モード設定部２３は、このボタン１４を、編集モード用に設定された色（例えば、薄い青色）から固定モード用に設定された色（例えば、薄い赤色）で表示させる（図３のステップＳ１０４）。編集モードと固定モードとで異なる色で表示すれば、ユーザは現在のモードを容易に認識することができる。
【００２７】
これに対し、現在設定されている操作モードが固定モードであった場合（図３のステップＳ１０２のＮＯ）、モード設定部２３は編集モードに切り替える（ステップＳ１０５）。固定モードの設定によってロックされていた表示内容は、タッチパネル２への接触に基づいて編集可能になる。
これにより、図４（Ｃ）に示すように、ユーザの指がタッチパネル２の例えば、中央位置から右斜め下方向に触れ続けると、モード設定部２３は、表示内容への処理を画像編集部２４に指示し、例えば、指で触れ続けた位置に線が書き込まれる。
【００２８】
あるいは、編集モードが設定された場合、図５（Ｂ）に示すように、例えば、ユーザの指でタッチパネル２の中央位置をシングルタップすると、モード設定部２３は、この位置のシングルタップに規定された処理を画像編集部２４に指示し、例えば、図５（Ｄ）に示すような、次ページの表示内容を表示することができる。
なお、固定モードから編集モードに切り替えられた場合、モード切り替えボタン１４は、固定モード用に設定された色（例えば、薄い赤色）から編集モード用に設定された色（例えば、薄い青色）で表示される（図３のステップＳ１０６）。
【００２９】
若しくは、図６（Ａ）に示すように、タッチパネル２には、第１ウインドウ３１が第２ウインドウ３２よりも前側に表示されており、固定モードに設定されていた場合、ユーザがモード切り替えボタン１４に触れると、編集モードに切り替わる。次いで、図６（Ｂ）に示すように、ユーザがモード切り替えボタン１４よりも内側の領域、例えば、第２ウインドウ３２に触れると、この第２ウインドウ３２が第１ウインドウ３１よりも前側に表示される。
【００３０】
続いて、図６（Ｃ）に示すように、ユーザがモード切り替えボタン１４に触れると、固定モードに切り替わる。これにより、第２ウインドウ３２を説明する際に、ユーザが、第２ウインドウ３２のみならず、第１ウインドウ３１に触れたとしても、図６（Ｄ）に示すように、第２ウインドウ３２は、第１ウインドウ３１よりも前側に表示されたまま変わらず、その触れた内容も反映されない。
【００３１】
このように、モード切り替えボタン１４に接触する度に、編集モードと固定モードとを容易に切り替えることができる。よって、通常、編集モードに設定されていたとしても、現在の表示内容を指し示しながら説明したい場合には、モード切り替えボタン１４に触れて固定モードに設定する。その後、現在の表示内容に線などを入力して説明したい場合や、次のページに進みたい場合などには、モード切り替えボタン１４に触れて編集モードに設定すればよい。
【００３２】
なお、上記実施例では、モード切り替えボタン１４を色で識別する例を説明した。しかし、固定モードが設定された場合、例えば、モード切り替えボタンを斜線等の模様で表示する、あるいは、「固定モード」の文字や記号等をモード切り替えボタンの一部分に表示してもよい。
【００３３】
以上、本発明の実施形態について説明したが、本発明は、タッチパネルに表示された画像を編集可能な編集モードと、該表示された画像への編集を禁止して該画像を維持する固定モードとを有した情報表示装置であって、前記タッチパネルの所定位置に接触したか否かを判定する判定部と、前記所定位置に接触したと判定される度に、前記編集モードと前記固定モードとを切り替えるモード設定部とを備えてもよい。
これにより、タッチパネルの所定位置に触れた場合、編集モードから固定モードに容易に切り替えられ、表示内容の編集を禁止してそのまま維持する。このため、表示内容の一部分を指すためにタッチパネルに触れたとしても、タッチパネルへの接触が表示内容に反映されず、また、現在の表示内容から次ページの表示内容に移らずに済み、タッチパネル付きの情報表示装置を利用したプレゼンテーションが円滑に行われる。この結果、ユーザにとって使いやすい情報表示装置を提供することができる。
【００３４】
また、前記タッチパネルの周縁を押えるキャビネットを有し、前記タッチパネルの前記所定位置は、前記キャビネットの輪郭線に沿って帯状に形成されてもよい。これにより、表示装置に対してユーザがどの位置にいても、タッチパネルの所定位置に触れることが可能になる。
また、前記タッチパネルの前記所定位置は、前記編集モードと前記固定モードとで異なる態様で表示されることができる。このように、編集モードと固定モードとで異なる色で表示すれば、ユーザは現在のモードを容易に認識することができる。
【符号の説明】
【００３５】
１…情報表示装置、２…タッチパネル、３…情報処理装置、４…フロアスタンド、１０…タッチセンサ、１１…前キャビネット、１２…ディスプレイ、１４…モード切り替えボタン、２０…制御部、２１…記憶部、２２…接触判定部、２３…モード設定部、２４…画像編集部、２５…Ｉ／Ｆ、２６…バス、２７…入力部、３１…第１ウインドウ、３２…第２ウインドウ。
【図１】
2014134913.tif 000003
【図２】
2014134913.tif 000004
【図３】
2014134913.tif 000005
【図４】
2014134913.tif 000006
【図５】
2014134913.tif 000007
【図６】
2014134913.tif 000008